(57)【要約】【課題】  充電部を露出させない接続部形式に対する端末構造の電力ケーブルとの接続が容易に行えるケーブル接続アダプタを提供すること【解決手段】  エポキシ樹脂等によりモールドした導体棒１０の両端に接続用のスタッド１１，１１を設けて連結プラグ１とし、これは略Ｔ字形状の端末ハウジング２の受座部２２へ嵌め合わせる。受座部２２は連結プラグ１を他端側スタッド１１が露出する状態に受ける。移動用ケーブル４ｔの端部へ装着した端末ハウジング２を支持台３の一方へ組み付ける。既設の電力ケーブル４ａ端部に装着してある端末ハウジング２は支持台３の他方へ組み付けし、２つの端末ハウジング２，２間に連結プラグ１を介在させて向き合わせに連結させる。支持台３は表裏両面が８角形状となる柱状の枠体３０とし、枠体３０からアーム３１を延長させて設けてその先端部位で電力ケーブル４をクランプする。【選択図】        図１
2008269882.tif 000002
【特許請求の範囲】
【請求項１】
樹脂モールドした導体棒の両端に接続用のスタッドを有する連結プラグと，前記連結プラグを他端側スタッドが露出する状態に受ける受座部および受座側スタッドとの連結部とを有して電力ケーブルの端部へ装着させる移動用ケーブル端末ハウジングと，前記移動用ケーブル端末ハウジングとその形状および寸法を同一とした既設ケーブル端末ハウジングと，前記２つの端末ハウジングを支持する１組の支持台とを備え，前記２つの端末ハウジングを前記連結プラグを介在させて連結させることを特徴とするケーブル接続アダプタ。
【請求項２】
前記支持台は一方面が多角形状となる柱状の枠体とすることを特徴とする請求項１に記載のケーブル接続アダプタ。
【請求項３】
前記支持台は一方面が８角形状となる柱状の枠体とすることを特徴とする請求項１に記載のケーブル接続アダプタ。
【発明の詳細な説明】
【技術分野】
【０００１】
本発明は、既設の電力ケーブルの接続先を移動用電力設備の側へ組み替えるためのケーブル接続アダプタに関するもので、より具体的には、固体絶縁開閉装置などにおいて、電力ケーブルの接続部が充電部を露出させない構造を採る端末部との接続構造の改良に関する。
【背景技術】
【０００２】
電力の受電，配電を行う電力設備の一つに、固体絶縁開閉装置が知られている。固体絶縁開閉装置は、例えば特許文献１などに見られるように、絶縁性の高いエポキシ樹脂等によりモールドして充電部を絶縁し、絶縁部の表面は接地層で覆う構成を採り、信頼性，安全性が高く得られるメリットがあって好まれている。
【０００３】
【特許文献１】特開２００２−３４５１１５号公報
【発明の開示】
【発明が解決しようとする課題】
【０００４】
そうした固体絶縁開閉装置を備えた電力設備では、例えば装置内の母線で事故が発生した場合など、当該電力系統での事故の際に、事故部位は系統から切り離す必要があり、それ以外の配電系統などは移動用電力設備の側へ接続を切り替えて復旧させたいという要求がある。
【０００５】
これには、既設の電力ケーブルの接続先を移動用電力設備の側へ組み替えることになるが、移動用電力設備では移動用ケーブルは気中接続の端末構造を採り、固体絶縁開閉装置では電力ケーブルの接続部は充電部を露出させない端末構造を採ることから、そのままでは移動用ケーブルと接続を組み替えることができないという問題がある。
【０００６】
すなわち、図６に示すように、固体絶縁開閉装置６０の筐体６１の所定位置に接続端子部分６２は、樹脂モールド６３により充電部６４の周囲が覆われた構造を採っている。そして、この接続端子部分６２に、既設の電力ケーブルの端部に設けられた既設ケーブル端末ハウジング２′を連結している。既設ケーブル端末ハウジング２′も、周囲が覆われた絶縁構造となっており、連結部分での高い絶縁性が保たれている。
【０００７】
一方、移動用ケーブルの端末は、例えば本発明の使用状態の一例を示す図５に示されるように、樹脂モールドなどされておらずその先端が露出しており、気中接続の端末構造を採っている。このように、接続部分の構造が異なるため、既設ケーブル端末ハウジングを固体絶縁開閉装置から離脱させ、移動用電力設備に接続するといった接続先の組み替えが簡単に行なえないのである。
【０００８】
この発明は上記した課題を解決するもので、その目的は、充電部を露出させない接続部形式に対する端末構造の電力ケーブルとの接続が容易に行えるケーブル接続アダプタを提供することにある。
【課題を解決するための手段】
【０００９】
上記した目的を達成するために、本発明に係るケーブル接続アダプタは、樹脂モールドした導体棒の両端に接続用のスタッドを有する連結プラグと，前記連結プラグを他端側スタッドが露出する状態に受ける受座部および受座側スタッドとの連結部とを有して電力ケーブルの端部へ装着させる移動用ケーブル端末ハウジングと，前記移動用ケーブル端末ハウジングとその形状および寸法を同一とした既設ケーブル端末ハウジングと，前記２つの端末ハウジングを支持する１組の支持台とを備え，前記２つの端末ハウジングを前記連結プラグを介在させて連結させる構成にする。
【００１０】
使用する樹脂は、例えばエポキシ樹脂が良い。連結プラグは、既設ケーブル端末ハウジングに連結するものであるため、例えば、平常状態において係る既設ケーブル端末ハウジングを取り付ける既設の電力設備機器における既設ケーブル端末ハウジング用の接続端子部分と同様の構成を採るのがよい。
【００１１】
かかる構成にすることにより本発明では、既設の電力ケーブル端部の既設ケーブル端末ハウジングと、移動用ケーブル端部の移動用ケーブル端末ハウジングとは、連結プラグが介在することで簡単に接続できる。しかも、これら連結した両端末ハウジングは支持台に収まっているため、連結部位を保護することができ、電力ケーブル等に何らかの外力が加わった際に、連結部位に過度の力が加わらず、当該連結が外れることが防止される。
【００１２】
また、支持台は一方面が多角形状となる柱状の枠体としたり、８角形状となる柱状の枠体とする構成にできる。このように、連結した両端末ハウジングは、互いに連結する一方面を多角形状や８角形状の支持台で支持すると、互いの連結の角度を適宜に設定できる。８角形状の場合には、ケーブルの引き出し角度が４５度刻みで変えられるので、設置場所の環境に柔軟に対応できる。すなわち、既設ケーブルと移動用ケーブルを互いにどのような方向で布設するかは、その場の状況によって異なる。そこで、本発明のように支持台を多角形状、特に８角形状とすることで、布設状態に合わせた形で接続できる。
【発明の効果】
【００１３】
本発明に係るケーブル接続アダプタでは、既設の電力ケーブルの端部の既設ケーブル端末ハウジングと、移動用ケーブルの端部の移動用ケーブル端末ハウジングとは、連結プラグが介在することで接続し、相互の連結が容易に行える。両端末ハウジングは、充電部を露出させない接続部形式に対する端末構造そのものなので、固体絶縁開閉装置において事故の際は、既設の電力ケーブルの接続先を移動用電力設備の側へ容易に替えることができ、復旧を迅速に行える。
【００１４】
すなわち、平常状態では、既設の電力ケーブルの端部の既設ケーブル端末ハウジングは、例えば電力設備である固体絶縁開閉装置に接続され、その固体絶縁開閉装置から電力供給を受けるが、その固体絶縁開閉装置の内部の系統に故障等を生じて電力供給を受けられなくなった場合には、既設ケーブル端末ハウジングを固定絶縁開閉装置から取り外し、本発明の連結プラグを介して移動用ケーブル端末ハウジングと連結することで、既設の電力ケーブルは移動用電力設備から電力供給を受けることができるようになる。このように、電力供給源を簡単に組み替えることができる。
【００１５】
更に、これら連結した両端末ハウジングは支持台に収まるので、連結部位を保護することができ、何らかの外力が加わった際に連結が外れることを防止できる。この場合、連結した両端末ハウジングは、８角形状等の支持台で支持するので、互いの連結の角度を適宜に設定できる。既設の電力ケーブル，移動用ケーブルの互いの取り回しは、現場の状況で決まることから、８角形状の支持台によれば適切に対応することができ、作業性を良好に向上でき、連結部分にむりな外力が作用することを防止できる。
【発明を実施するための最良の形態】
【００１６】
図１，図２は本発明の好適な一実施の形態を示している。本実施形態において、ケーブル接続アダプタは、棒状の連結プラグ１と、電力ケーブル４の端部へ装着させる移動用ケーブル端末ハウジング２，既設ケーブル端末ハウジング２′を支持する２つ１組の支持台３，３とを備えて、既設の電力ケーブル４ａの接続先を移動用電力設備の側へ切り替える接続を行う構成になっている。
【００１７】
連結プラグ１は、導体棒１０の両端に接続用のスタッド１１，１１を設け、その導体棒１０をエポキシ樹脂等により樹脂モールドしてあり、モールド部分１２，１２がそれぞれの端末ハウジング２，２′の受座部２２へ嵌め合うようになっている。
【００１８】
両端末ハウジング２，２は、筒状本体２０の側面から連結部位２１が突き出す略Ｔ字形状に形成し、連結部位２１へ電力ケーブル４の端部を挿入させて装着し、筒状本体２０の内部には、連結プラグ１を他端側スタッド１１が露出する状態に受ける受座部２２および受座側スタッド１１との連結部２３とを設けている。連結部２３は、図３に示すように、電力ケーブル４の芯線と圧着により接続する導体材２４を有し、この導体材２４の孔部へスタッド１１を嵌め込み、ナット２５により締め付けることで連結を行う構成になっている。このように、移動用ケーブル端末ハウジング２は、その形状および寸法を既設の電力設備において電力ケーブル４ａの端部へ装着してある既設ケーブル端末ハウジング２′と同一のものとする。
【００１９】
支持台３は所定の枠体に形成してあり、図２に示すように、天地面が８角形状となる柱状の枠体３０としてあって、この８角形状の一方面を接合面とし、筒状本体２０の端面をこの一方面（接合面）に臨ませて連結部位２１をクランプし、反対側にはアーム３１を延長させて設け、アーム３１の先端部位で電力ケーブル４をクランプするようになっている。２つの支持台３，３は互いの接合面となる一方面同士を接面させる際に位置をずらすことができ、その一方面の形状が８角形状であることから、電力ケーブル４の取り回し向きを４５度毎に変更できるようになっている。なお、本実施形態では、支持台３の天地面の両方を８角形状とした枠体３０としたが、接合する一方面のみが８角形状とし他方面は他の形状（多角形，円形その他）としてもよい。
【００２０】
既設の電力ケーブル４ａの接続先を移動用電力設備の側へ組み替える際は、既設ケーブル端末ハウジング２′は、移動用の電力ケーブル４ｔの端部に設けた移動用ケーブル端末ハウジング２へ装着するとともに、支持台３の一方へ組み付ける。相手側となる既設の電力ケーブル４ａの端末ハウジング２は支持台３の他方へ組み付ける。そして、２つの端末ハウジング２，２′間に、連結プラグ１を介在させて一方面同士を向き合わせに連結させる。
【００２１】
この組み替え連結作業には、準備として、移動用ケーブル端末ハウジング２の筒状本体２０からキャップを取り外し、内部の受座部２２，連結部２３の清掃を行い、シリコングリスを塗布する。
【００２２】
次に、移動用ケーブル端末ハウジング２を支持台３へ組み付ける。このとき移動用ケーブル端末ハウジング２は、受座部２２が一方面に正対する所定姿勢に位置合わせを行い、適正な位置関係に組み付けを行う。
【００２３】
連結プラグ１についても清掃を行い、モールド部分１２，１２にはシリコングリスを塗布する。そして、連結プラグ１を一方の端末ハウジング（たとえば、移動用ケーブル端末ハウジング２）へ挿入し、突き出た他端側スタッド１１に対して、相手側他方の端末ハウジング（例えば、既設ケーブル端末ハウジング２′）を向き合わせて受座部２３が正しく向き合うことを確認して嵌め合わせる。このとき、２つの支持台３，３は電力ケーブル４ａ，４ｔの取り回し向きが適正となるように互いを位置合わせし、これら支持台３，３を共締め固定して電力ケーブル４ａ，４ｔの取り回し向きをロックする。
【００２４】
次に、筒状本体２０の後側から、ナット２５をスタッド１１へねじ込み、導体材２４との共締め固定を行い、電力ケーブル４ａ，４ｔとの電気的な接続を完了する。そして、当該後側にはキャップを組み付ける。
【００２５】
このように、既設の電力ケーブル４ａの端部の既設ケーブル端末ハウジング２′と、移動用ケーブル４ｔの端部の移動用ケーブル端末ハウジング２とは、連結プラグ１が介在することで接続し、相互の連結が容易に行える。このとき、移動用ケーブル端末ハウジング２は、形状および寸法を既設の電力設備において電力ケーブル４ａの端部へ装着してある既設ケーブル端末ハウジング２′と同一としてあり、すなわち、充電部を露出させない接続部形式に対する端末構造そのものなので、図４に示すように、固体絶縁開閉装置５において事故の際は、既設の電力ケーブル４ａの接続先を移動用電力設備６の側へ容易に組み替えることができ、復旧を迅速に行える。
【００２６】
これら連結した両端末ハウジング２，２′は支持台３，３に収まるので、連結部位を保護することができ、何らかの外力が加わった際に連結が外れることを防止できる。この場合、連結した両端末ハウジング２，２′は、８角形状の支持台３で支持するので、互いの連結の角度を適宜に設定できる。既設の電力ケーブル４ａ，移動用ケーブル４ｔの互いの取り回しは、現場の状況で決まることから、８角形状の支持台３によれば適切に対応することができる。その結果、作業性を良好に向上でき、連結部分にむりな外力が作用しないように防止できる。
【００２７】
図５は、別の利用状態を示している。この例では、ケーブル７の一端に移動用ケーブル端末ハウジング２を接続し、ケーブル７の他端に金属プレート７′を接続する。この金属プレート７′は、外部に露出した状態とする。移動用電力設備６に接続された移動用ケーブル４ｔの先端にも外部に露出した状態の金属プレート４ｔ′を接続する。そして、それら両金属プレート７′，４ｔ′を気中端末接続函８を利用して接続するようにした。
【００２８】
つまり、本発明の目的を達成する用途を実現するためには、図４等に示すように移動用電力設備６に接続された移動用ケーブル４ｔの端部に直接移動用ケーブル端末ハウジング２を設けても良いが、すでに移動用電力設備６に接続されている移動用ケーブル４ｔの先端は、気中接続用の構造、つまり、移動用ケーブル４ｔの先端は、金属プレート４ｔ′が露出した状態となっているので、それに対応するためにかかる構造をとる。
【図面の簡単な説明】
【００２９】
【図１】本発明に係るケーブル接続アダプタの好適な一実施の形態を示す側面図である。
【図２】図１に示すケーブル接続アダプタの平面図である。
【図３】連結プラグを介在した端末ハウジングの連結状態を説明する側面図である。
【図４】本発明に係るケーブル接続アダプタの適用例を説明する構成図である。
【図５】本発明に係るケーブル接続アダプタの適用例を説明する構成図である。
【図６】従来の問題を説明するための図である。
【符号の説明】
【００３０】
１  連結プラグ
１０  導体棒
１１  スタッド
１２  モールド部分
２  移動用ケーブル端末ハウジング
２′  既設ケーブル端末ハウジング
２０  筒状本体
２１  連結部位
２２  受座部
２３  連結部
２４  導体材
２５  ナット
３  支持台
３０  枠体
３１  アーム
４ａ  既設の電力ケーブル
４ｔ  移動用ケーブル
５  固体絶縁開閉装置
６  移動用電力設備
【図１】
2008269882.tif 000003
【図２】
2008269882.tif 000004
【図３】
2008269882.tif 000005
【図４】
2008269882.tif 000006
【図５】
2008269882.tif 000007
【図６】
2008269882.tif 000008